(57)【特許請求の範囲】
【請求項１】
自律神経の状態を示す生体状態画像を生成する画像生成装置であって、
生体情報に基づく交感神経及び副交感神経の優位度、並びに、自律神経の活動強度を取得する情報取得部と、
基準点に対する一端側に交感神経の優位度が設定され、かつ、他端側に副交感神経の優位度が設定された第１軸に沿い、取得された前記優位度に応じた位置で、かつ、前記第１軸に交差し、時間が設定された第２軸に沿い、前記優位度及び前記活動強度が取得された時刻に応じた位置に、取得された前記活動強度に応じた大きさの図形が設定された前記生体状態画像を生成する画像生成部と、を備える
ことを特徴とする画像生成装置。
【請求項２】
請求項１に記載の画像生成装置において、
前記画像生成部は、前記優位度及び前記活動強度が取得されると、前記図形を前記第１軸に沿って設定し、当該図形において他の前記図形と重なる部位の色を、重ならない部位の色より濃くした前記生体状態画像を生成する
ことを特徴とする画像生成装置。
【請求項３】
請求項１又は請求項２に記載の画像生成装置において、
前記生体状態画像は、
前記第１軸に沿い、取得された前記優位度に応じた位置で、かつ、前記第２軸に沿い、前記優位度及び前記活動強度が取得された時刻に応じた位置に、取得された前記活動強度に応じた大きさの前記図形が設定された時系列領域と、
前記第２軸において過去に遡る方向側に位置し、取得された前記優位度の分布を示すグラフが設定されるグラフ領域と、を含み、
前記グラフは、前記第１軸と平行な第３軸と、前記第３軸に交差して前記優位度の取得回数を示す第４軸と、を有し、
前記画像生成部は、時間経過に応じて前記第２軸が更新され、前記時系列領域に設定された前記図形が前記グラフ領域と重なると、当該図形により示される前記優位度が取得された回数を積算した前記グラフに、前記グラフ領域の前記グラフを更新する
ことを特徴とする画像生成装置。
【請求項４】
請求項１に記載の画像生成装置において、
前記画像生成部は、前記生体状態画像として、
前記第１軸に沿って前記図形をそれぞれ設定し、各前記図形において他の前記図形と重なる部位の色を、重ならない部位の色より濃くした第１画像と、
前記第１軸に沿い、取得された前記優位度に応じた位置で、かつ、前記第２軸に沿い、前記優位度及び前記活動強度が取得された時刻に応じた位置に、取得された前記活動強度に応じた大きさの前記図形を設定した第２画像と、を生成する
ことを特徴とする画像生成装置。
【請求項５】
請求項１から請求項３のいずれかに記載の画像生成装置と、
前記生体状態画像を表示する表示装置と、を備えることを特徴とする画像表示装置。
【請求項６】
請求項４に記載の画像生成装置と、
表示装置と、
前記画像生成装置によって生成された前記生体状態画像を前記表示装置に表示させる表示制御装置と、を備え、
前記表示制御装置は、生成された前記第１画像及び前記第２画像のうち、前記表示装置に表示させる画像を操作に応じて切り替えることを特徴とする画像表示装置。
【請求項７】
自律神経の状態を示す生体状態画像を生成する画像生成方法であって、
生体情報に基づく交感神経及び副交感神経の優位度、並びに、自律神経の活動強度を取得する取得ステップと、
基準点に対する一端側に交感神経の優位度が設定され、かつ、他端側に副交感神経の優位度が設定された第１軸に沿い、取得された前記優位度に応じた位置で、かつ、前記第１軸に交差し、時間が設定された第２軸に沿い、前記優位度及び前記活動強度が取得された時刻に応じた位置に、取得された前記活動強度に応じた大きさの図形が設定された前記生体状態画像を生成する生成ステップと、を含む
ことを特徴とする画像生成方法。
【請求項８】
請求項７に記載の画像生成方法において、
前記生成ステップでは、前記取得ステップにて前記優位度及び前記活動強度が取得されると、前記図形を前記第１軸に沿って設定し、当該図形において他の前記図形と重なる部位の色を、重ならない部位の色より濃くした前記生体状態画像を生成する
ことを特徴とする画像生成方法。
【請求項９】
請求項７又は請求項８に記載の画像生成方法において、
前記生体状態画像は、
前記第１軸に沿い、取得された前記優位度に応じた位置で、かつ、前記第２軸に沿い、前記優位度及び前記活動強度が取得された時刻に応じた位置に、取得された前記活動強度に応じた大きさの前記図形が設定された時系列領域と、
前記第２軸において過去に遡る方向側に位置し、取得された前記優位度の分布を示すグラフが設定されるグラフ領域と、を含み、
前記グラフは、前記第１軸と平行な第３軸と、前記第３軸に交差して前記優位度の取得回数を示す第４軸と、を有し、
前記生成ステップでは、時間経過に応じて前記第２軸が更新され、前記時系列領域に設定された前記図形が前記グラフ領域と重なると、当該図形により示される前記優位度が取得された回数を積算した前記グラフに、前記グラフ領域の前記グラフを更新する
ことを特徴とする画像生成方法。
【請求項１０】
請求項７に記載の画像生成方法において、
前記生成ステップでは、
前記第１軸に沿って前記図形をそれぞれ設定し、各前記図形において他の前記図形と重なる部位の色を、重ならない部位の色より濃くした、前記生体状態画像としての第１画像と、
前記第１軸に沿い、取得された前記優位度に応じた位置で、かつ、前記第２軸に沿い、前記優位度及び前記活動強度が取得された時刻に応じた位置に、取得された前記活動強度に応じた大きさの前記図形を設定した、前記生体状態画像としての第２画像と、を生成する
ことを特徴とする画像生成方法。
【請求項１１】
自律神経の状態を示す生体状態画像を表示する表示制御方法であって、
請求項１０に記載の画像生成方法により生成された前記第１画像及び前記第２画像のうち、操作に応じた画像を表示する表示ステップを含む
ことを特徴とする表示制御方法。
【請求項１２】
自律神経の状態を示す生体状態画像を生成する画像生成装置により実行され、前記生体状態画像を生成させる画像生成プログラムであって、
前記画像生成装置に、
生体情報に基づく交感神経及び副交感神経の優位度、並びに、自律神経の活動強度を取得する取得ステップと、
基準点に対する一端側に交感神経の優位度が設定され、かつ、他端側に副交感神経の優位度が設定された第１軸に沿い、取得された前記優位度に応じた位置で、かつ、前記第１軸に交差し、時間が設定された第２軸に沿い、前記優位度及び前記活動強度が取得された時刻に応じた位置に、取得された前記活動強度に応じた大きさの図形が設定された前記生体状態画像を生成する生成ステップと、を実行させる
ことを特徴とする画像生成プログラム。
【請求項１３】
請求項１２に記載の画像生成プログラムにおいて、
前記生成ステップでは、前記取得ステップにて前記優位度及び前記活動強度が取得されると、前記図形を前記第１軸に沿って設定し、当該図形において他の前記図形と重なる部位の色を、重ならない部位の色より濃くした前記生体状態画像を生成する
ことを特徴とする画像生成プログラム。
【請求項１４】
請求項１２又は請求項１３に記載の画像生成プログラムにおいて、
前記生体状態画像は、
前記第１軸に沿い、取得された前記優位度に応じた位置で、かつ、前記第２軸に沿い、前記優位度及び前記活動強度が取得された時刻に応じた位置に、取得された前記活動強度に応じた大きさの前記図形が設定された時系列領域と、
前記第２軸において過去に遡る方向側に位置し、取得された前記優位度の分布を示すグラフが設定されるグラフ領域と、を含み、
前記グラフは、前記第１軸と平行な第３軸と、前記第３軸に交差して前記優位度の取得回数を示す第４軸と、を有し、
前記生成ステップでは、時間経過に応じて前記第２軸が更新され、前記時系列領域に設定された前記図形が前記グラフ領域と重なると、当該図形により示される前記優位度が取得された回数を積算した前記グラフに、前記グラフ領域の前記グラフを更新する
ことを特徴とする画像生成プログラム。
【請求項１５】
請求項１２に記載の画像生成プログラムにおいて、
前記生成ステップでは、
前記第１軸に沿って前記図形をそれぞれ設定し、各前記図形において他の前記図形と重なる部位の色を、重ならない部位の色より濃くした、前記生体状態画像としての第１画像と、
前記第１軸に沿い、取得された前記優位度に応じた位置で、かつ、前記第２軸に沿い、前記優位度及び前記活動強度が取得された時刻に応じた位置に、取得された前記活動強度に応じた大きさの前記図形を設定した、前記生体状態画像としての第２画像と、を生成する
ことを特徴とする画像生成プログラム。
【請求項１６】
自律神経の状態を示す生体状態画像を表示する画像表示装置により実行され、前記生体状態画像を表示させる表示制御プログラムであって、
前記画像表示装置に、
請求項１５に記載の画像生成プログラムが実行されることにより生成された前記第１画像及び前記第２画像のうち、操作に応じた画像を表示する表示ステップを実行させる
ことを特徴とする表示制御プログラム。
【発明の詳細な説明】
【技術分野】
【０００１】
本発明は、画像生成装置、画像表示装置、画像生成方法、表示制御方法、画像生成プログラム及び表示制御プログラムに関する。
【背景技術】
【０００２】
従来、対象作業者の覚醒度に関する情報を報知する報知システムが知られている（例えば、特許文献１参照）。
この特許文献１に記載の報知システムは、管理センターと、複数の端末装置と、これらを接続するネットワークとにより構成されている。これらのうち、管理センターは、端末装置により対象作業者から取得された覚醒度等関連情報を受信し、当該覚醒度等関連情報に基づいて加工情報を生成する。そして、管理センターは、対象作業者が使用する端末装置に当該加工情報を送信し、対象作業者に加工情報を報知する。この加工情報は、各端末装置により生成される場合もある。
【０００３】
上記覚醒度等関連情報には、心電波形、心拍、脳波及び脈拍等の生理情報や、対象作業者の存在の情報が含まれている。この覚醒度等関連情報が心電波形である場合、０．１Ｈｚ前後のピークから、交感神経と副交感神経との活動レベルの大きさが得られ、また、０．３Ｈｚ前後のピークから、副交感神経の活動レベルの大きさが得られる。
上記加工情報には、得られた各活動レベルの大きさをグラフ化した情報や、覚醒度の分布、及び、当該分布における対象作業者の位置を示す情報が挙げられている。更に、加工情報には、覚醒度等関連情報と好適範囲とを示す情報や、所定期間（例えば１日）における覚醒レベルの平均値と現在の覚醒レベルとを示す情報が挙げられている。
【先行技術文献】
【特許文献】
【０００４】
【特許文献１】特開２００５−１９２８７３号公報
【発明の概要】
【発明が解決しようとする課題】
【０００５】
ここで、前述の特許文献１に記載の報知システムにて表示される画像（上記加工情報に基づく画像）では、交感神経及び副交感神経の活動レベルがグラフにより示されているが、このようなグラフからは、使用者が直感的に自律神経の状態を把握しづらいという問題がある。一方、当該状態を文章により説明する画像を表示することも考えられるが、このような画像が表示される場合、当該文章を読まなければならないため、これについても直感的に把握しづらい。このため、自律神経の状態を把握しやすい構成の画像が要望されてきた。
【０００６】
本発明の目的は、自律神経の状態を把握しやすくすることができる画像生成装置、画像表示装置、画像生成方法、表示制御方法、画像生成プログラム及び表示制御プログラムを提供することである。
【課題を解決するための手段】
【０００７】
本発明の画像表示装置は、検出された生体情報に基づく自律神経の状態を示す生体状態画像を表示する画像表示装置であって、画像を表示する表示部と、前記生体情報に基づく交感神経及び副交感神経の優位度、並びに、自律神経の活動強度を取得する情報取得部と、基準点に対する一端側に交感神経の優位度が設定され、かつ、他端側に副交感神経の優位度が設定された第１軸に沿い、かつ、取得された前記交感神経及び副交感神経の優位度に応じた位置に、取得された前記自律神経の活動強度に応じた大きさの図形が設定された前記生体状態画像を生成する画像生成部と、生成された前記生体状態画像を前記表示部に表示させる表示制御部とを備えることを特徴とする。
【０００８】
本発明によれば、画像生成部により生成される生体状態画像における図形の位置及び大きさにより、交感神経及び副交感神経の優位度、並びに、自律神経の活動強度が示される。これによれば、交感神経及び副交感神経の活動レベルがグラフにより示される前述の画像や、自律神経の状態を文章により説明する画像に比べて、交感神経及び副交感神経のどちらがどれほど優位であるかを直感的に把握できる他、自律神経の活動強度を容易に把握できる。従って、自律神経の状態を把握しやすくすることができる。
【０００９】
本発明では、前記画像生成部は、前記交感神経及び副交感神経の優位度、並びに、前記自律神経の活動強度が取得されるごとに前記図形を前記第１軸に沿って設定し、当該図形において他の前記図形と重なる部位の色を、重ならない部位の色より濃くした前記生体状態画像を生成することが好ましい。
【００１０】
なお、当該生体状態画像は、所定期間内に取得された上記優位度及び活動強度に応じて図形を配置した画像とすることができ、当該所定期間としては、例えば、１日、数時間、或いは、数分の期間を例示できる。
本発明によれば、生体情報が検出されて、当該生体情報から前記優位度及び前記活動強度が取得されるごとに、これらを示す図形が第１軸に沿って設定される。これによれば、生体状態画像に設定された各図形から、当該優位度及び活動強度の分布を把握できる。従って、当該所定期間内における交感神経及び副交感神経のバランスを把握できる。
また、各図形において重なった部分の色は濃く、重なっていない部分の色は薄いことから、当該各図形の重なり具合を判別することができる。従って、当該重なり具合から、上記優位度及び活動強度の分布や傾向を視覚的に把握でき、ひいては、自律神経の状態の良否を判定できる。
【００１１】
或いは、本発明では、前記画像生成部は、前記交感神経及び副交感神経の優位度、並びに、前記自律神経の活動強度が取得されるごとに、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形が設定された前記生体状態画像を生成することが好ましい。
本発明によれば、第２軸に沿い、かつ、交感神経及び副交感神経の優位度、並びに、自律神経の活動強度が取得された時刻に応じた位置に、当該優位度及び活動強度を示す図形が設定された生体状態画像が生成される。これによれば、当該生体状態画像により、上記優位度及び活動強度の経時変化を把握できる。従って、自律神経の状態をより正確に把握できる。
【００１２】
或いは、本発明では、前記画像生成部は、前記生体状態画像として、前記交感神経及び副交感神経の優位度、並びに、前記自律神経の活動強度が取得されるごとに、前記第１軸に沿って前記図形をそれぞれ設定し、各前記図形において他の前記図形と重なる部位の色を、重ならない部位の色より濃くした第１画像と、前記交感神経及び副交感神経の優位度、並びに、前記自律神経の活動強度が取得されるごとに、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形を設定した第２画像とを生成し、前記表示制御部は、当該画像表示装置に対する操作に応じて、前記画像生成部により生成される前記第１画像及び前記第２画像のうちから、前記表示部に表示させる画像を切り替えることが好ましい。
【００１３】
このような画像表示装置に対する操作には、例えば、ボタン等の操作手段が設けられている場合には、当該操作手段に対する入力操作が含まれ、また、画像表示装置の姿勢を検出する検出手段が設けられている場合には、当該姿勢を変更する操作が含まれる。
本発明によれば、表示制御部が、画像表示装置に対する使用者の操作に応じて、表示部に表示される画像として、上記優位度及び活動強度の分布及び傾向を把握できる第１画像と、当該優位度及び活動強度の経時変化を把握できる第２画像とをを切り替えることにより、自律神経の状態をより詳しく把握できる。
【００１４】
また、本発明の表示制御方法は、検出された生体情報に基づく自律神経の状態を示す生体状態画像を表示する表示制御方法であって、前記生体情報に基づく交感神経及び副交感神経の優位度、並びに、自律神経の活動強度を取得し、基準点に対する一端側に交感神経の優位度が設定され、かつ、他端側に副交感神経の優位度が設定された第１軸に沿い、かつ、取得された前記交感神経及び副交感神経の優位度に応じた位置に、取得された前記自律神経の活動強度に応じた大きさの図形が設定された前記生体状態画像を表示することを特徴とする。
本発明によれば、前述の画像表示装置と同様の効果を奏することができる。
【００１５】
また、本発明の表示制御プログラムは、検出された生体情報に基づく自律神経の状態を示す生体状態画像を表示する画像表示装置により実行され、前記生体状態画像を表示させる表示制御プログラムであって、前記画像表示装置に、前記生体情報に基づく交感神経及び副交感神経の優位度、並びに、自律神経の活動強度を取得させ、基準点に対する一端側に交感神経の優位度が設定され、かつ、他端側に副交感神経の優位度が設定された第１軸に沿い、かつ、取得された前記交感神経及び副交感神経の優位度に応じた位置に、取得された前記自律神経の活動強度に応じた大きさの図形が設定された前記生体状態画像を表示させることを特徴とする。
本発明によれば、当該表示制御プログラムを画像表示装置が実行することで、前述の画像表示装置と同様の効果を奏することができる。
【図面の簡単な説明】
【００１６】
【図１】本発明の第１実施形態に係る画像表示装置を示すハードウェアブロック図。
【図２】前記第１実施形態における画像表示装置の構成を示す機能ブロック図。
【図３】前記第１実施形態における積算画像の一例を示す図。
【図４】前記第１実施形態における積算画像の一例を示す図。
【図５】前記第１実施形態における積算画像の一例を示す図。
【図６】前記第１実施形態における積算画像の一例を示す図。
【図７】前記第１実施形態における時系列画像の一例を示す図。
【図８】前記第１実施形態における生体状態画像の切替状態を示す図。
【図９】前記第１実施形態における表示制御処理を示すフローチャート。
【図１０】前記第１実施形態における積算画像の他の一例を示す図。
【図１１】本発明の第２実施形態に係る画像表示装置を示す斜視図。
【図１２】前記第２実施形態における画像表示装置の構成を示す機能ブロック図。
【図１３】前記第２実施形態における生体状態画像の切替状態を示す図。
【図１４】前記第２実施形態における表示制御処理を示すフローチャート。
【発明を実施するための形態】
【００１７】
［第１実施形態］
以下、本発明の第１実施形態について、図面に基づいて説明する。
［画像表示装置の構成］
図１は、本実施形態に係る画像表示装置１の構成を示すブロック図である。
本実施形態に係る画像表示装置１は、生体状態（詳しくは自律神経の状態）を示す生体状態画像を表示するものである。この画像表示装置１は、図１に示すように、外部機器ＥＤと通信して、当該外部機器ＥＤから受信される情報に基づいて、生体状態画像を生成及び表示する。
なお、本実施形態では、外部機器ＥＤは、当該外部機器ＥＤが装着された人体から生体情報である脈拍（心拍）等を取得し、当該脈拍の変動を周波数解析した結果を所定の演算式に当てはめることで、自律神経を構成する交感神経及び副交感神経の優位度と、当該自律神経の活動強度とを含む情報を取得する。そして、外部機器ＥＤは、当該情報と、生体情報の取得日時とを画像表示装置１に送信する。
【００１８】
画像表示装置１は、それぞれバスラインＢを介して互いに接続される操作手段３、送受信手段４、表示手段５、姿勢検出手段６及び制御手段７と、これらを内部に収納する筐体２とを備える。このような画像表示装置１は、本実施形態では、例えば、スマートフォンやタブレット端末等の携帯可能な小型端末装置として構成されているが、これに限らず、ＰＣ（Personal Computer）等の据置の画像表示装置であってもよい。
【００１９】
操作手段３は、キーボードやポインティングデバイス等により構成されており、入力操作に応じた操作信号を制御手段７に出力する。
送受信手段４は、外部機器ＥＤと通信して、当該外部機器ＥＤとの間で情報を送受信する。本実施形態では、送受信手段４は、外部機器ＥＤから、前述の優位度及び活動強度を含む情報を受信して、当該情報を制御手段７に出力する。なお、本実施形態では、送受信手段４と外部機器ＥＤとは互いに無線で通信するが、これに限らず、有線で通信する構成としてもよい。
【００２０】
表示手段５は、本発明の表示部に相当し、制御手段７から入力される画像信号に応じた画像を表示する。この表示手段５における画像の表示領域ＡＲ（図５参照）は、長方形状となっている。このような表示手段５として、液晶パネル、有機ＥＬ（Electro-Luminescence）パネル及びプラズマパネル等の各種表示デバイスを採用できる。
姿勢検出手段６は、筐体２の姿勢を検出する。具体的に、姿勢検出手段６は、筐体２の姿勢を検出するセンサー（例えば加速度センサーやジャイロセンサー）を有し、表示手段５の表示領域ＡＲ（図５参照）が縦長となっているか、横長となっているかを検出する。そして、姿勢検出手段６は、当該筐体２の姿勢を示す信号を制御手段７に出力する。
【００２１】
［制御手段の構成］
図２は、制御手段７の構成を示す機能ブロック図である。
制御手段７は、ＣＰＵ（Central Processing Unit）７Ａ及びメモリー７Ｂ等により構成され、操作手段３に対する使用者の操作に基づいて、或いは、自律的に、画像表示装置１の動作を制御する。例えば、制御手段７は、外部機器ＥＤから受信された情報に基づいて生体状態画像を生成し、当該生体状態画像を表示手段５に表示させる。
このような制御手段７は、上記メモリー７Ｂにより構成される記憶部７１を備える。この他、制御手段７は、図２に示すように、上記ＣＰＵ７Ａが記憶部７１に記憶されたプログラムを実行することで実現される情報取得部７２、画像生成部７３及び表示制御部７４としての機能を有する。
【００２２】
記憶部７１は、フラッシュメモリーやＨＤＤ（Hard Disk Drive）等により構成され、画像表示装置１の動作に必要な各種プログラム及びデータを記憶する。この記憶部７１に記憶されているプログラムとしては、例えば、後述する表示制御処理を実行するための制御プログラムが挙げられる。また、当該記憶部７１に記憶されるデータとしては、例えば、送受信手段４により受信された各種情報が挙げられる。
【００２３】
情報取得部７２は、送受信手段４を制御して、当該送受信手段４に外部機器ＥＤから送信される各種情報を受信させる。そして、情報取得部７２は、受信された当該情報を記憶部７１に記憶させる。なお、情報取得部７２は、送受信手段４により外部機器ＥＤから定期的（例えば３０分ごと）に上記情報を取得し、当該情報に含まれる前述の優位度及び活動強度を取得する。
【００２４】
画像生成部７３は、表示手段５により表示される画像を生成（描画）する。この他、画像生成部７３は、操作手段３に対する使用者の入力操作に応じて、情報取得部７２により取得された情報に基づく生体状態画像を生成する。
【００２５】
［積算画像の構成］
図３は、生体状態画像に含まれる積算画像Ｐ１の一例を示す図である。なお、見易さを考慮して、以降の図においては、図形Ｆの符号を一部省略している。
画像生成部７３は、生体状態画像として、以下に示す積算画像Ｐ１（図３参照）及び時系列画像Ｐ２（図７参照）を生成する。
積算画像Ｐ１は、表示手段５の表示領域ＡＲ（図８（Ｂ）参照）が横長となっている場合に表示される画像であり、図３に示すように、所定期間（例えば１日）内に検出された生体情報に基づく上記優先度及び活動強度を、所定の図形Ｆ（本実施形態では円）により示す画像である。この積算画像Ｐ１は、本発明の第１画像に相当する。
【００２６】
この積算画像Ｐ１には、表示領域ＡＲの長手方向に沿うレベル軸Ａ１（第１軸）が設定されており、当該レベル軸Ａ１には、交感神経の優位度及び副交感神経の優位度を示す目盛りが設定されている。具体的に、レベル軸Ａ１における中央の基準点ＳＰ（「０」が設定されている位置）に対して一端側（左側）に、交感神経の優位度を示す目盛りが１〜１０の数値で設定され、当該基準点ＳＰに対して他端側（右側）に、副交感神経の優位度を示す目盛りが１〜１０の数値で設定されている。また、積算画像Ｐ１には、当該生体情報が取得された日付が設定される。
そして、積算画像Ｐ１には、情報取得部７２により上記優位度及び活動強度を含む情報が取得されるごとに、レベル軸Ａ１において、取得された優位度に対応する位置に、取得された活動強度に応じた寸法の図形Ｆが設定される。これら図形Ｆは、レベル軸Ａ１に沿う仮想の直線Ｌ上に中心が位置するように、それぞれ配置される。
【００２７】
例えば、取得された情報に「交感神経の優位度が８．２である」ことを示す情報と、「自律神経の活動強度が４である」ことを示す情報とが含まれている場合には、交感神経の優位度「８．２」の位置に、活動強度４に対応する大きさの図形Ｆ（Ｆ１）が、上記直線Ｌ上に設定される。
また、取得された情報に「副交感神経の優位度が４．１である」ことを示す情報と、「自律神経の活動強度が２である」ことを示す情報とが含まれている場合には、副交感神経の優位度「４．１」の位置に、活動強度２に対応する大きさの図形Ｆ（Ｆ２）が、上記直線Ｌ上に設定される。
【００２８】
このような積算画像Ｐ１では、過去に設定された図形Ｆと重なる位置に、新たに図形Ｆが設定される場合が生じる。このため、積算画像Ｐ１に設定される図形Ｆには、所定の透過率が設定されている。これにより、各図形Ｆにおいて重ならない領域は、薄い色で表され、互いに重なる領域は、濃い色で表される。このような色の濃淡に基づいて、各図形Ｆの重なり具合が表され、所定期間における上記優位度及び活動強度の分布及び傾向を把握することができる。
【００２９】
例えば、図３における「副交感神経の優位度４〜５」の範囲には、当該範囲内に中心を有する図形Ｆが１つ設定されている。このため、該当日「２０１２／０２／２９」の１日に、「副交感神経の優位度が４〜５の範囲にある」ことを示す生体情報が１回取得されたことが示される。
一方、「交感神経の優位度０〜１」の範囲には、当該範囲内に中心を有する図形Ｆが２つ設定されている。このため、該当日「２０１２／０２／２９」の１日に、「交感神経の優位度が０〜１の範囲にある」ことを示す生体情報が２回取得されたことが示される。
【００３０】
また、図形Ｆの色は、優位である自律神経の種別及び優位度に応じて設定される。
すなわち、取得された情報に交感神経の優位度が含まれている場合には「交感神経が優位である」と判断され、設定される図形Ｆの色に暖色（例えば、赤、黄及び橙等の色）が設定される。更に、当該図形Ｆの色は、交感神経の優位度が高くなるに従って、暖色が強まる色（すなわち黄から赤に変化する色）に設定される。
また、取得された情報に副交感神経の優位度が含まれている場合には「副交感神経が優位である」と判断され、設定される図形Ｆの色に寒色（例えば、青及び青に近い色）が設定される。更に、当該図形Ｆの色は、副交感神経の優位度が高くなるに従って、寒色が強まる色（すなわち緑から青に変化する色）に設定される。
【００３１】
ここで、暖色は、視覚的に交感神経に作用して、人の感情を高揚させる効果があるとされている。一方、寒色は、視覚的に副交感神経に作用し、興奮を鎮める効果があるとされている。このため、図形Ｆの色を、交感神経が優位である場合には暖色とし、副交感神経が優位である場合には寒色とすることにより、交感神経及び副交感神経のうち、どちらが優位であるかを直感的に把握できる。従って、自律神経の状態をより容易かつ適切に把握できる。
なお、取得された情報に「優位度０」を示す情報が含まれていた場合には、レベル軸Ａ１の中央の基準点ＳＰに対応する位置に、灰色の図形Ｆが設定される。
【００３２】
このような積算画像Ｐ１が表示される際には、日付ごとに過去数日分の積算画像Ｐ１も合わせて表示される。すなわち、図３では、「２０１２／０２／２９」の積算画像Ｐ１のみが示されているが、実際には、図８（Ｂ）に示すように、当日を含めて過去数日分（例えば１週間分）の積算画像Ｐ１が表示される。そして、積算画像Ｐ１の表示時に、表示手段５の表示領域をスクロールさせることで、他の日付の積算画像Ｐ１を観察することができる。
【００３３】
図４〜図６は、積算画像Ｐ１の他の一例を示す図である。
上記の積算画像Ｐ１からは、以下の内容を把握できる。
例えば、図４に示す「２０１２／０２／２８」の積算画像Ｐ１では、比較的大きな寸法の図形Ｆが、レベル軸Ａ１に沿って基準点ＳＰを中心とする比較的広い範囲にそれぞれ配置されている。ここで、健康な人ほど活動強度が高く（図形Ｆの寸法が大きく）、交感神経及び副交感神経がバランスよく作用する。このため、図４に示す状態は、健康な状態に分類される状態であり、自律神経が良好である状態である。
【００３４】
一方、図５に示す「２０１２／０２／２７」の積算画像Ｐ１では、レベル軸Ａ１の交感神経側に偏って各図形Ｆが配置されている。また、図６に示す「２０１２／０２／２６」の積算画像Ｐ１では、レベル軸Ａ１の基準点ＳＰを中心として比較的狭い範囲に、比較的小さな寸法の図形Ｆが集中して配置されている。ここで、優位度が交感神経及び副交感神経のどちらかに偏って変化がない状態や、自律神経の活動強度が小さい状態は、不健康な状態に分類される。このため、図５及び図６に示す状態は、自律神経の状態が良好でない状態である。
このように、所定期間（本実施形態では１日）に取得された生体情報に基づく積算画像Ｐ１により、自律神経の状態が良好であるか否かを判断することができる。
【００３５】
［時系列画像の構成］
図７は、生体状態画像に含まれる時系列画像Ｐ２の一例を示す図である。
時系列画像Ｐ２は、表示手段５の表示領域ＡＲ（図８（Ａ）参照）が縦長となっている場合に表示される画像であり、図７に示すように、生体情報が取得されるごとに、当該生体情報に応じた図形Ｆを時系列で設定した画像である。この時系列画像Ｐ２は、本発明の第２画像に相当する。
【００３６】
時系列画像Ｐ２は、本実施形態では、使用者により選択された日時から過去数日分（例えば３日分）の生体情報に基づく上記優位度及び活動強度に応じて図形Ｆが設定された縦長の画像となっており、後述する表示制御部７４により、当該時系列画像Ｐ２の一部が表示手段５に表示される。そして、操作手段３に対して時系列画像Ｐ２を上下にスクロールさせる操作（時間軸Ａ２に沿ってスクロールさせる操作）が行われた場合には、表示制御部７４により、当該時系列画像Ｐ２におけるスクロール後の領域が表示される。なお、使用者が表示対象の日時を選択していない場合には、現在時刻から過去数日分に相当する期間内に取得された上記優位度及び活動強度に応じた時系列画像Ｐ２が、生成及び表示される。
【００３７】
このような時系列画像Ｐ２には、当該時系列画像Ｐ２の短手方向に沿うレベル軸Ａ１と、長手方向に沿う時間軸Ａ２（第２軸）とが設定されている。すなわち、レベル軸Ａ１と時間軸Ａ２とは、当該レベル軸Ａ１の基準点ＳＰにて互いに交差する。
時間軸Ａ２には、現在時刻が設定される時刻設定領域Ａ２１が設けられている他、現在時刻に対して過去の時刻（図７では過去１０時間分で、かつ、３時間毎の時刻）が目盛りとして設定されている。
なお、レベル軸Ａ１は、時系列画像Ｐ２を上下にスクロールさせても常に表示される。一方、時間軸Ａ２に設定された過去の時刻は、現在時刻が更新された場合には、レベル軸Ａ１から離れる方向に移動され、これに伴い、対応する時刻に応じて設定された図形Ｆも同方向に移動される。
【００３８】
この時系列画像Ｐ２では、図形Ｆは、生体情報が取得された時刻に応じた時間軸Ａ２の位置で、かつ、当該生体情報に基づく交感神経及び副交感神経の優位度に応じた位置に、自律神経の活動強度に応じた寸法で設定される。
例えば、「ＰＭ９：００」に取得された生体情報に基づいて、交感神経及び副交感神経の優位度として「副交感神経の優位度が６．０である」ことを示す情報が取得され、かつ、自律神経の活動強度として「活動強度４」であることを示す情報が取得された場合には、時間軸Ａ２における「ＰＭ９：００」に応じた位置で、かつ、レベル軸Ａ１の「副交感神経の優位度６．０」に応じた位置に、「活動強度４」に応じた大きさの図形Ｆ（Ｆ３）が設定される。
【００３９】
一方、「ＰＭ３：００」に取得された生体情報に基づいて、「交感神経の優位度が６．３である」ことを示す情報及び「自律神経の活動強度が２である」ことを示す情報が取得された場合には、時間軸Ａ２における「ＰＭ３：００」に応じた位置で、かつ、レベル軸Ａ１における「交感神経の優位度６．３」に応じた位置に、「活動強度２」に応じた大きさの図形Ｆ（Ｆ４）が設定される。
このような時系列画像Ｐ２により、生体情報が取得された時刻が示されるとともに、当該生体情報の内容が示される。なお、当該時系列画像Ｐ２において、設定される図形Ｆの色及び透過率は、前述の積算画像Ｐ１と同様である。
【００４０】
このような時系列画像Ｐ２が生成及び表示されることにより、自律神経の経時変化を時刻とともに把握できる。これにより、例えば、正常な場合には、昼間では交感神経が優位となり、夜間では副交感神経が優位となる傾向と比較して、使用者の自律神経の状態にどのような差異があるのかを把握することもでき、当該自律神経の状態が正常であるか否かを判断することができる。
【００４１】
図８は、筐体２の姿勢に応じた積算画像Ｐ１と時系列画像Ｐ２との切替状態を示す図である。
上記積算画像Ｐ１及び時系列画像Ｐ２の表示切替は、表示制御部７４により行われる。この表示制御部７４は、画像生成部７３により生成された画像（上記生体状態画像の他、画像表示装置１の状態を示す画像も含む）を表示手段５に表示させる。
例えば、表示制御部７４は、図８に示すように、姿勢検出手段６から入力される検出信号に基づいて、使用者から見て表示手段５の表示領域ＡＲが縦長となっていると判定した場合には、時系列画像Ｐ２を当該表示手段５に表示させる。
【００４２】
一方、表示制御部７４は、当該検出信号に基づいて、使用者から見て表示領域ＡＲが横長となっていると判定した場合には、積算画像Ｐ１を当該表示手段５に表示させる。
更に、表示制御部７４は、前述のように、表示された画像をスクロールする操作が使用者により操作手段３に対して行われた場合には、スクロール後の領域の画像を読み出して、当該画像を表示手段５に表示させる。
このような表示切替が行われることにより、例えば１日ごとの自律神経の状態を把握できる積算画像Ｐ１と、それぞれの日の自律神経の状態の経時変化を把握できる時系列画像Ｐ２とを切り替えることで、より詳細に自律神経の状態を把握できる。
【００４３】
［表示制御処理］
図９は、画像表示装置１（詳しくは制御手段７）により実行される表示制御処理を示すフローチャートである。
上記画像表示装置１では、生体状態画像を表示させる操作が使用者により操作手段３に対して行われると、制御手段７を構成するＣＰＵ７Ａが、メモリー７Ｂ（記憶部７１）に記憶された表示制御プログラムを読み出して、以下に示す表示制御処理を実行する。
この表示制御処理では、図９に示すように、まず、表示制御部７４が、姿勢検出手段６の検出結果に基づいて、表示領域ＡＲが縦長であるか否かを判定する（ステップＳ１）。
【００４４】
ステップＳ１での判定処理にて、表示領域ＡＲが縦長であると判定した場合、表示制御部７４は、前述の時系列画像Ｐ２を画像生成部７３に生成させ、当該画像Ｐ２を表示手段５に表示させる（ステップＳ２）。この後、表示制御部７４は、処理をステップＳ４に移行する。
ステップＳ１での判定処理にて、表示領域ＡＲが縦長でない（横長である）と判定した場合、表示制御部７４は、前述の積算画像Ｐ１を画像生成部７３に生成させ、当該画像Ｐ１を表示手段５に表示させる（ステップＳ３）。この後、表示制御部７４は、処理をステップＳ４に移行する。
【００４５】
ステップＳ４では、表示制御部７４は、姿勢検出手段６から入力される信号に基づいて、筐体２の姿勢が変更されたか否かを判定する（ステップＳ４）。ここで、筐体２の姿勢が変更されたと判定した場合、表示制御部７４は、処理をステップＳ１に移行する。
一方、筐体２の姿勢が変更されていないと判定した場合、表示制御部７４は、操作手段３から入力される操作信号に基づいて、生体状態画像の表示を終了させる操作が行われたか否かを判定する（ステップＳ５）。
【００４６】
ステップＳ５での判定処理にて、当該操作は行われていないと判定した場合、表示制御部７４は、処理をステップＳ４に移行し、生体状態画像の表示を継続する。
ステップＳ５での判定処理にて、当該操作が行われたと判定した場合、表示制御部７４は、生体状態画像の表示を終了させ、制御手段７は、表示制御処理を終了する。この後、表示制御部７４は、画像表示装置１の状態を示す画像を表示させる。
【００４７】
以上説明した本実施形態に係る画像表示装置１によれば、以下の効果がある。
（１）画像生成部７３により生成される生体状態画像（積算画像Ｐ１及び時系列画像Ｐ２）における図形Ｆの位置及び大きさにより、交感神経及び副交感神経の優位度、並びに、自律神経の活動強度が示される。これによれば、交感神経及び副交感神経の活動レベルがグラフにより示される前述の画像や、自律神経の状態を文章により説明する画像に比べて、交感神経及び副交感神経のどちらがどれほど優位であるかを直感的に把握できる他、自律神経の活動強度を容易に把握できる。従って、自律神経の状態を把握しやすくすることができる。
【００４８】
（２）積算画像Ｐ１及び時系列画像Ｐ２では、前述の優位度及び活動強度が取得されるごとに、これらを示す図形Ｆがレベル軸Ａ１に沿って設定される。これによれば、当該各画像Ｐ１，Ｐ２に設定された各図形Ｆの位置から、当該優位度及び活動強度の分布を把握できる。従って、所定期間内における交感神経及び副交感神経のバランスを把握できる。
また、各図形Ｆにおいて重なった部分の色は濃く、重なっていない部分の色は薄いことから、当該各図形Ｆの重なり具合を判別することができる。従って、積算画像Ｐ１においては、当該重なり具合から、上記優位度及び活動強度の分布や傾向を視覚的に把握でき、ひいては、自律神経の状態の良否を判定できる。
【００４９】
（３）時系列画像Ｐ２では、前述の優位度及び活動強度を示す図形Ｆが、時間軸Ａ２において、対応する生体情報が取得された時刻に応じた位置に設定される。これによれば、当該優位度及び活動強度の経時変化を把握できる。従って、自律神経の状態をより正確に把握できる。
（４）表示制御部７４は、姿勢検出手段６により検出される筐体２の姿勢に応じて、表示手段５に表示される画像を切り替える。これによれば、上記優位度及び活動強度の分布及び傾向を日ごとに把握できる積算画像Ｐ１と、選択された日の上記優位度及び活動強度の経時変化を把握できる時系列画像Ｐ２とをを切り替えることにより、自律神経の状態をより詳しく把握できる。
【００５０】
［積算画像の変形］
図１０は、積算画像の他の一例を示す図である。
なお、画像生成部７３により生成される積算画像は、前述の積算画像Ｐ１に限らず、以下に示す積算画像Ｐ１Ａであってもよい。
積算画像Ｐ１Ａは、図１０に示すように、時系列画像Ｐ２の内容と、各優先度ごとの生体情報の取得回数を示す内容とを含む画像であり、当該積算画像Ｐ１Ａには、時系列領域ＴＡとグラフ領域ＧＡとが設定されている。
【００５１】
これらのうち、時系列領域ＴＡには、前述の時系列画像Ｐ２と同様に、レベル軸Ａ１及び時間軸Ａ２が設定されている。この時系列領域ＴＡには、前述の生体情報を取得した時刻に応じた位置で、かつ、交感神経及び副交感神経の優位度に応じた位置に、自律神経の活動強度に応じた寸法の図形Ｆが設定される。これにより、当該優位度及び活動強度が時系列で示される。
【００５２】
一方、グラフ領域ＧＡは、時系列領域ＴＡにおける時間軸Ａ２の先端側（過去に遡る方向）に位置し、当該グラフ領域ＧＡには、レベル軸Ａ１と、当該レベル軸Ａ１に交差する積算軸Ａ３とが設定されている。この積算軸Ａ３は、時間軸Ａ２に沿って伸びる軸となっている。
そして、グラフ領域ＧＡには、交感神経及び副交感神経の優位度ごとに、当該優位度の生体情報が取得された回数を積算したグラフＧが設定される。換言すると、当該グラフ領域ＧＡには、所定期間（例えば１日）内に取得された各生体情報に基づいて設定される図形Ｆの優位度ごとの設定回数を積算したグラフＧが設定される。
【００５３】
ここで、本実施形態では、時間経過に応じて時系列領域ＴＡの時間軸Ａ２が下方にスクロールして、当該時系列領域ＴＡ内に設定された図形Ｆが、グラフ領域ＧＡの上端部ＧＡ１と重なったときに、当該図形Ｆにより示される優位度の生体情報の取得回数が加算され、グラフＧが更新される。この際、グラフ領域ＧＡには、グラフＧにて対応する優位度の位置に雫が落ち、当該位置が上昇するアニメーション画像が生成される。しかしながら、このようなアニメーションは無くてもよく、更には、最新の生体情報を含む所定期間内の生体情報に応じたグラフＧが設定されてもよい。
このような積算画像Ｐ１Ａによっても、所定期間内での各優位度の分布及び傾向を視覚的に把握でき、前述の積算画像Ｐ１及び時系列画像Ｐ２が表示される場合と同様の効果を奏することができる。
【００５４】
［第２実施形態］
以下、本発明の第２実施形態について説明する。
本実施形態に係る画像表示装置は、当該画像表示装置を装着した使用者から生体情報を直接取得し、当該生体情報に基づいて前述の優位度及び活動強度を取得する構成及び機能を更に備える点で、前述の画像表示装置１と相違する。なお、以下の説明では、既に説明した部分と同一又は略同一である部分については、同一の符号を付して説明を省略する。
【００５５】
図１１は、本実施形態に係る画像表示装置１Ａの外観を示す模式図である。また、図１２は、画像表示装置１Ａの構成を示すブロック図である。
本実施形態に係る画像表示装置１Ａは、図１１に示すように、使用者の手首等に装着され、装着部位にて検出した脈拍（心拍）を含む生体情報に基づいて、前述の優位度及び活動強度を示す生体状態画像を生成及び表示するものである。この画像表示装置１Ａは、当該画像表示装置１Ａを装着するためのリストバンドＬＢが取り付けられた腕時計様の筐体２Ａを備える。この他、画像表示装置１Ａは、図１２に示すように、操作手段３、表示手段５、脈波検出手段８及び制御手段９とを備える。
【００５６】
脈波検出手段８は、例えば、ＬＥＤ（Light Emitting Diode）等の発光素子とフォトトランジスタ等の受光素子とからなる光電式脈波センサーを備える。この脈波検出手段８は、生体情報として検出された血流脈波を制御手段９に出力する。なお、脈波検出手段８は、光電式脈波センサーを備える構成に限らず、圧力式脈波検出センサーを備える構成であってもよい。
【００５７】
制御手段９は、前述の制御手段７と同様に、ＣＰＵ７Ａ及びメモリー７Ｂを備え、これらにより実現される記憶部７１、情報取得部９２、画像生成部９３及び表示制御部９４を機能的に備える。
【００５８】
情報取得部９２は、脈波検出手段８により検出された生体情報（すなわち脈波）を所定周期（例えば３０秒周期）で取得する。なお、この情報取得部９２による生体情報の取得は、本実施形態では、使用者の特別な操作を要せずに自律的に行われるが、操作手段３に対する使用者による操作があった場合に行うようにしてもよい。また、当該周期は、使用者により適宜設定可能である。
また、情報取得部９２は、取得された脈波の変動を周波数分析した結果を所定の演算式に当てはめて、前述の優位度及び活動強度を取得する。そして、情報取得部９２は、取得した優位度及び活動強度を、当該脈波が検出された日時とともに、記憶部７１に記憶させる。
【００５９】
図１３は、積算画像Ｐ１及び時系列画像Ｐ２の切替状態を示す図である。このうち、図１３（Ａ）は、積算画像Ｐ１が表示された画像表示装置１Ａが示されており、図１３（Ｂ）は、時系列画像Ｐ２が表示された画像表示装置１Ａが示されている。
画像生成部９３は、前述の画像生成部７３と同様の機能を有し、使用者により生体状態画像を表示させる操作が行われた場合に、記憶部７１に記憶された情報に基づいて、当該生体状態画像（積算画像Ｐ１及び時系列画像Ｐ２）を生成する。
【００６０】
詳述すると、本実施形態に係る画像生成部９３は、図１３（Ａ）に示すように、所定期間として現在時刻から過去１０分間の生体情報に基づく積算画像Ｐ１を生成する。そして、当該積算画像Ｐ１が表示されている間に、新たな生体情報が取得された場合には、画像生成部９３は、当該生体情報に基づいて、積算画像Ｐ１を更新する。この際、取得から１０分を経過した生体情報に基づく図形Ｆは、当該積算画像Ｐ１から順次消去してもよい。
また、当該所定期間は、使用者により適宜設定可能であり、例えば、第１実施形態にて示した積算画像Ｐ１のように、１日単位の積算画像Ｐ１を生成することも可能である。
加えて、画像生成部９３が生成する積算画像Ｐ１及び時系列画像Ｐ２（図１３（Ｂ））を生成する対象日時は、前述の画像表示装置１と同様に、使用者により設定可能である。
【００６１】
表示制御部９４は、使用者による操作手段３の操作に応じて、積算画像Ｐ１及び時系列画像Ｐ２を含む生体状態画像を表示手段５に表示させる。この際、表示制御部９４は、図１３（Ａ）及び図１３（Ｂ）に示すように、当該操作に基づいて、各画像Ｐ１，Ｐ２を切り替えて表示させる。
【００６２】
なお、画像表示装置１Ａは、前述のように、使用者の手首に装着されるものであるため、表示手段５の表示領域ＡＲの解像度は、画像表示装置１と比べて大きくない。このため、当該表示領域ＡＲに表示される各画像Ｐ１，Ｐ２は、画像表示装置１にて生成される各画像Ｐ１，Ｐ２に比べて小さい画像であり、レイアウトも多少異なる。しかしながら、当該画像表示装置１と同様に、スクロール操作により、当該画像Ｐ１，Ｐ２の全体を観察可能に構成されている。
【００６３】
図１４は、画像表示装置１Ａにおける表示制御処理を示すフローチャートである。
制御手段９は、生体状態画像を表示させる操作が操作手段３に対して実施された場合に、記憶部７１から表示制御プログラムを読み出して、以下の表示制御処理を実行する。
この表示制御処理では、図１４に示すように、まず、表示制御部９４が、表示対象の画像が、時系列画像Ｐ２であるか否かを判定する（ステップＳ６）。
【００６４】
このステップＳ６の判定処理にて、時系列画像Ｐ２であると判定すると、表示制御部９４は、画像生成部９３により生成された時系列画像Ｐ２を表示手段５に表示させる（ステップＳ２）。この後、表示制御部９４は、処理をステップＳ７に移行する。
一方、ステップＳ６の判定処理にて、時系列画像Ｐ２ではない（積算画像Ｐ１である）と判定すると、表示制御部９４は、画像生成部９３により生成された積算画像Ｐ１を表示手段５に表示させる（ステップＳ３）。この後、表示制御部９４は、処理をステップＳ７に移行する。
【００６５】
ステップＳ７では、表示制御部９４は、表示画像を切り替える操作が操作手段３に対して実施されたか否かを判定する（ステップＳ７）。
このステップＳ７の判定処理にて、当該操作が行われたと判定すると、表示制御部９４は、処理をステップＳ６に戻す。
また、ステップＳ７の判定処理にて、当該操作は行われていないと判定すると、表示制御部９４は、生体状態画像の表示を終了する操作が行われたか否かを判定する（ステップＳ５）。
【００６６】
ステップＳ５での判定処理にて、当該操作は行われていないと判定した場合には、表示制御部９４は、処理をステップＳ７に移行する。
ステップＳ５での判定処理にて、当該操作が行われたと判定した場合には、表示制御部９４は、生体状態画像の表示を終了させ、表示制御処理を終了させる。
【００６７】
以上説明した本実施形態に係る画像表示装置１Ａによれば、前述の画像表示装置１と同様の効果を奏することができる他、以下の効果がある。
画像表示装置１Ａが、脈波検出手段８を備えることにより、装着部位にて生体情報を適宜取得できる。そして、情報取得部９２が、当該生体情報を処理することで、前述の優位度及び活動強度を取得できるので、所望のタイミングで検出された生体情報に応じた生体状態画像を表示できる。
【００６８】
［実施形態の変形］
本発明は前述の実施形態に限定されるものではなく、本発明の目的を達成できる範囲での変形、改良等は本発明に含まれるものである。
前記第１実施形態では、外部機器ＥＤは、検出された生体情報に基づいて求められた前述の優位度及び活動強度を画像表示装置１に送信するとしたが、本発明はこれに限らない。すなわち、外部機器が、検出した生体情報を画像表示装置に送信し、当該画像表示装置が、受信された生体情報に基づく前述の優位度及び活動強度を取得し、これらに応じた生体状態画像を生成及び表示する構成としてもよい。すなわち、画像表示装置１が、情報取得部９２と同様の機能を備えていてもよい。
【００６９】
前記各実施形態では、積算画像Ｐ１，Ｐ１Ａ及び時系列画像Ｐ２に設定される図形Ｆは、円形の図形であるとしたが、本発明はこれに限らない。すなわち、四角形等、他の形状の図形であってもよい。
更に、最新の生体情報に基づく優位度及び活動強度に応じた図形Ｆの形状を、他の図形Ｆとは異なる形状としてもよく、当該図形Ｆの色や表示状態を変更してもよい。例えば、最新の図形Ｆは、点滅表示するようにしてもよい。
【００７０】
前記各実施形態では、図形Ｆには、所定の透過率が設定され、複数の図形Ｆが重なっている部分の色は濃くなり、重なっていない部分の色は薄くなるようにしていたが、本発明はこれに限らない。例えば、最新の生体情報に基づく図形Ｆを所定の色で表し、他の図形Ｆは当該所定の色とは異なる色で表すようにしてもよい。更に、優位度ごとの図形の設定回数（生体情報の取得回数）を数値で表すようにしてもよい。
更に、各図形を互いに重ならないように、間隔を空けて配置してもよい。この場合、優位度ごとの図形の設定回数を、図形の色及び濃淡で表してもよい。
【００７１】
前記各実施形態では、交感神経が優位である場合に設定される図形Ｆの色を暖色とし、副交感神経が優位である場合に設定される図形Ｆの色を寒色としたが、本発明はこれに限らない。すなわち、図形の色は、他の色でもよく、更には、優位度ごとに色を調整しなくてもよい。また、優位度に応じて色を調整するのではなく、対応する生体情報が取得された時刻と現在時刻との時間差が大きくなるに従って階調を増減させるなど、当該時間差に応じて色を調整するようにしてもよい。
【００７２】
前記各実施形態では、画像Ｐ１，Ｐ１Ａ，Ｐ２はスクロール可能であり、当該画像Ｐ１，Ｐ１Ａ，Ｐ２は、操作手段３に対する操作に応じて切り替えて表示されるとした。このため、過去の生体情報に基づく内容が表示されるように時系列画像Ｐ２をスクロールさせた後で、表示される画像を積算画像Ｐ１に切り替えた場合には、当該過去の生体情報が取得された時刻までの所定期間内の生体情報に基づく積算画像Ｐ１を生成して表示してもよい。同様に、積算画像Ｐ１Ａの表示時に、時系列領域ＴＡをスクロールさせた場合には、スクロール位置に応じたグラフＧを生成して、当該グラフＧをグラフ領域ＧＡに設定してもよい。
【００７３】
前記各実施形態では、交感神経及び副交感神経の優位度をそれぞれ１〜１０の数値（小数点以下を含む）で表し、自律神経の活動強度を４段階で表したが、本発明はこれに限らない。すなわち、当該優位度及び活動強度の評価段階は、それぞれ適宜変更してよい。
また、前述のように、積算画像Ｐ１，Ｐ１Ａ及び時系列画像Ｐ２を生成する際に参照される生体情報の取得期間や、上記優位度及び活動強度の取得周期も適宜変更可能である。
【００７４】
前記各実施形態では、画像表示装置１，１Ａが生体情報に基づく交感神経及び副交感神経の優位度と自律神経の活動強度とを取得して、これら優位度及び活動強度に基づく生体状態画像（画像Ｐ１，Ｐ１Ａ，Ｐ２）を生成及び表示する構成としたが、本発明はこれに限らない。例えば、ＰＣ（Personal Computer）等の画像生成装置が生体状態画像を生成して送信し、画像表示装置が当該生体状態画像を受信して表示する構成としてもよい。このような画像生成装置に対しても、本発明の適用可能である。
【００７５】
前記各実施形態では、生体情報として、脈波を取得する構成を例示したが、本発明はこれに限らない。すなわち、他の生体情報（例えば心電、体温、血圧など）に基づいて、上記生体状態画像を生成及び表示する構成としてもよい。
【００７６】
前記各実施形態では、第１軸としてのレベル軸Ａ１と、第２軸としての時間軸Ａ２とは互いに直交し、当該レベル軸Ａ１と積算軸Ａ３とは互いに直交しているが、本発明はこれに限らず、９０°以外の角度で交差させてもよい。更に言えば、それぞれの軸を離して、交差しないように各軸を配置してもよい。加えて、積算画像Ｐ１，Ｐ１Ａ及び時系列画像Ｐ２のレイアウトも適宜変更可能である。
【符号の説明】
【００７７】
１，１Ａ…画像表示装置、５…表示手段（表示部）、７２，９２…情報取得部、７３，９３…画像生成部、７４，９４…表示制御部、Ａ１…レベル軸（第１軸）、Ａ２…時間軸（第２軸）、Ｆ…図形、Ｐ１，Ｐ１Ａ…積算画像（生体状態画像、第１画像）、Ｐ２…時系列画像（生体状態画像、第２画像）。
【図１】
0006035837.tif 000002
【図２】
0006035837.tif 000003
【図９】
0006035837.tif 000004
【図１１】
0006035837.tif 000005
【図１４】
0006035837.tif 000006
【図３】
0006035837.tif 000007
【図４】
0006035837.tif 000008
【図５】
0006035837.tif 000009
【図６】
0006035837.tif 000010
【図７】
0006035837.tif 000011
【図８】
0006035837.tif 000012
【図１０】
0006035837.tif 000013
【図１２】
0006035837.tif 000014
【図１３】
0006035837.tif 000015